(57)【要約】      （修正有）【課題】大波動と表層海流への対策、海中部分での変則海流の流れ等々に対応出来る海中発電船を提供する。【解決手段】より安定した海中発電の為の重心がいかに重要であるかの発見と、割と簡単に「深海中心重力強化鋼鉄柱」と「海中重心浮力調整槽」の設置が簡単に設置が出来る事となれば、次々と「浮力活用回転発電扇」の回転力の向上等次々と改良すべき点が出て来る事となり一気に改良進歩が行なわれる事となる。全国の半島、岬、各地の島々等々その各内部を刳り貫いて海中発電船と同様の設備をすれば大波、海流等への対策が必要としなくなり、より早く海中発電の進歩が行なれる事となる。【選択図】図１
2014129076.tif 000002
【特許請求の範囲】
【請求項１】
図１の通り「ジェット噴出対圧流機」よりの強烈な噴出流が、十数ヶ所より噴出を継続するとすれば、「浮力活用回転発電扇」は必ず、強力な回転を始め、その回転に連動連結された第三回転ギア部分が連動稼動回転を行ない発電を行なう事となる。
本申請はまず第一番に海中での安定した発電を行なう為に「浮力強化外周設置侵入海水調整槽」等の外海外周部分の設置を行ない強力な防波力と浮力の確保と同時にその浮力の調整が可能な浸入海水調整槽として設置をし、強力な浮力の確保と同時に船内海上空間を含む「浮力強化外周設置侵入海水調整槽」「海中重心浮力調整槽」「海水活用重心安定水槽」等々の強力な浮力の確保と同時にその浮力の調整が各々可能な調整水槽として設置をするものである。
次に１番大切な「浮力活用回転発電扇」の設置を行なう為にその中心部分に「深海中心重力強化鋼鉄柱」を図１の通り設置をし、その連結された深海部分に「海中重心浮力調整槽」を同時に設置を行ない、その中に滞留さす海水の重容量に依っても「浮力活用回転発電扇」の安定稼動回転を目指すものであり、前記強化鋼鉄柱、海中重心浮力調整槽は当然固定となる。
そして本前記双方の各設備の強力な重心重力の海中安定に依り、「浮力活用回転発電扇」の安定回転が確保され一層の強力な安定稼動回転が出現する事となる。
そしてその時の安定した海上甲板部分に設備がされた「波動調整緩衝装置」内の「第一緩衝バネ装置」部分で大きく波動等に対しての緩衝作用効果が発揮される事となる。
小さな波動時等ではこの形で充分であるが、より荒天時等の大波動時等にはまず下方の「海中重心浮力調整槽」内の海水注入と海上面近辺の「海水活用重心安定水槽内併設負圧活用安定装置」内の海水活用重心安定水槽部分に大幅に海水の流入を行ない、海中水槽、海上水槽両面に充分な海水の注入を行なう事に依り、海上海中部分での波動を大きく押さえる事とする。
そしてより安定した稼動発電の継続の為に「海水活用重心安定水槽内併設負圧活用安定装置」内の「負圧活用安定装置」部分の「負圧発生吸圧機」の稼動を行ない、常時「浮力活用回転発電扇内船内喫水線」部分に存在している海水の強力な吸圧稼動活動に依り発生する船内喫水線の上昇を図る事とし、もう一段の吸圧力が必要な時には、「波動調整緩衝装置」内に設置がされた油圧機械装置に依り「海水活用重心安定水槽内併設負圧活用安定装置」全体の引き上げを行なえば、より強力な負圧の発生が起こり、「浮力活用回転発電扇内船内喫水線」の一層の強力上昇となり、「２段階負圧強化時に対応する吸圧空気流入防止装置」の設置に依り、より強力な負圧の出現となる。
当然「浮力活用回転発電扇」の回転発電稼動には全く何ら影響等も無く、「海水活用重心安定水槽」内の重心安定の為に流入された海水も同様に「負圧活用安定装置」内の「負圧発生吸圧機」の継続された吸引活動作用の為に、重心の安定の為に大量に流入した海水も「海水活用重心安定水槽」内の波動が上記負圧の働きの出現の為に大きく押さえ込まれる事となり、上記水槽内の流入された海水が、殆んど水槽内で大きく暴れる事等は全く無く、この水槽内に流入注入された海水の重容量の安定感が、外海の波動の抑制減削に大きく貢献する事となる。
当然この負圧の発生継続維持は全く簡単な事となる。
そして外周部分に設置がされる「浮力強化外周設置侵入海水調整槽」部分は波動防止緩衝浮力装置は当然であるが、船内中央部分に設置がされる「海中重心浮力調整槽」「海水活用重心安定水槽」の２ヶ所の水槽稼動に依る重心部分の一層の安定、稼動と、強力な負圧活動の継続に依る各水槽内の重心の安定、各水槽内の波動の軽減の波及等々が、長時間でも充分に継続維持が簡単に可能な事であり、「海中重心浮力調整槽」の様に水深数十ｍの設置、「海水活用重心安定水槽」の様に海上面部分での設置、又負圧活用安定装置の活用等々に依り、又外周部分の「浮力強化外周設置侵入海水調整槽」の活用等々普通の船の航行とは完全に全く違った設備となる。
以上の通り各々設置の水槽稼動に依る重心の安定と強力な負圧活動の継続効果が充分に可能な各相乗効果が本海中発電の難敵である大波波動時等には大幅な軽減解消となり、一年中安定した海中発電船が全国各地海上海中に出現する事となる。
海上海中各水槽の浮力活用と負圧の継続活用の併設活用を行なう海中発電船装置設備に依る海中発電船発電構想。
【発明の詳細な説明】
【技術分野】
【０００１】  船体外周部分、船内の中心部分には強力な「深海中心重力強化鋼鉄柱」と「海中浮力調整槽」又船内喫水線部分に各々浮力水槽を設置し、その内部に海水の流入排出を天候の状況を勘案しながら増減をし、同時に「海水活用重心安定水槽内併設負圧活用安定装置」の設置をし強力な負圧の活用を同時に行なう事に依る荒天時の波動にも完全に安定した回転稼動発電が実現する。【０００２】  本発明は海中発電の強敵である、波動、振動の動きに依る回転発電稼動に懸かる大きな負荷が殆んど無くなる事となり、全く負荷の無い多少の上下波動のみとなり、横振れ振動は完全に無くなる事となる。【０００３】  以上の通り図１にて説明する【０００４】  海中船の強力な重心部分の創出の為に図１の通り「深海中心重力強化鋼鉄柱」の設置と同時に「海中重心浮力調整槽」を設置をし、強力な重心部分の設置となる。当然船外周囲部分には「浮力強化外周設置侵入海水調整槽」の設置に依り、強力な浮力の発生と同時に「船内海上空間」部分の強力な浮力も同時に発生する事となり、強力鋼鉄柱の数十ｔの重量物の重心確保の安定に大きく貢献する。
本重量級重心の出現と「強化鋼鉄柱」に連結設置がされた数百ｔ容量水槽の設置が小さな波動等には全く動じない事となり、従来の波動等は完全に解消される事となる。
問題の大波荒天時には「海水活用重心安定水槽内併設負圧活用安定装置」双方の稼動を行ない船内喫水線部分よりの海水の吸入に依る「海水活用重心安定水槽」内の安定確保と負圧活用を同時に行ない、海中、海上部分双方での完壁な振動防禦が行なわれる事となり一年中安定した海中発電が行なわられる事となる。【０００５】
【特許文献】特にありません。
【発明の概要】
【発明が解決しようとする課題】  より強力な防波装置設備を海中発電船内に配備が出来れば最大の懸案である海上での大波波動等の解決方法が見つかれば海中発電は新時代に突入する事となり、海中発電の設置可能場所は全国数百箇所にも及び、安定した電気の供給が行なわれる事となる。
又海上海中部分での海水の飛沫等に依る漏電等も現在の空調技術設備で完全に簡単に処理が出来るものであり、海中送電も現実にいくらでも実例がある。
【課題を解決するための手段】  図１の通り諸々の海中空間、海上空間を設けその浮力の力を利用し、出来るだけ重量感のある重心部分を船の中央に海中水槽を含む重量鋼鉄材等にて設置を行なう。この重量鋼鉄材の設置に依り、小さな振動とか海流、ある程度部分の波動等は完全に解消がされる事となるが荒天に依る大波発生時等に於いての対策として船中内喫水線部分に設置がされる「海水活用重心安定水槽」の活用と同時に「負圧」の活用に依る上下横振動等の解消の継続を行なえば、当然ある程度の上下波動は感じると思われるが、発電には難敵である横振れ等が、この強力な負圧の活用を加わえれば、大幅に減少する事となり、発電には大きく影響しない僅かの上下波動が残るのみとなる。
【発明の効果】  現実には地上でのビル建設費用の数分の一のコストしか必要とせず、なぜならば殆んど空洞に近い海中発電船であり、技術的にも新しい技術等は殆んど必要で無く、ただ海中水圧等に対する少しの知識があれば簡単に海中設置となり、海中水温が仮に２０℃もあれば誰が考えても大した設備で無くても輸送船等の概念である強靱な船体、強大なエンジン等は全く不用であり、図１の通りごく簡単な装備設備で想像を超えた大容量発電が充分に可能である事と、「ジェット噴出対圧流機」に使用する海水噴出流機に使用される電気量はごく僅かであり、図１の通り毎秒１５ｍ時速５４ｋｍの速度で第三回転ギア直径０．５ｍの発電機が３４．３９５回転となり、（１時間）こんな遅い回転数でも三相交流の発電は充分であり、当然「ジェット噴出対圧流機」に依る「浮力活用回転発電扇」の回転速度は毎秒３ｍ〜５ｍと回転速度は簡単に上げる事が出来、こんな簡単な装置装備で強力な浮力活用発電船の出現となる。
【図面の簡単な説明】
【図１】海中発電船の外周部分に「浮力強化外周設置侵入海水調整槽」を設置し、強力な海中浮力を確保し、その内側部分に図１の通り重量感のある重心鉄柱と連結された「海中重心浮力調整槽」の設置と船内喫水線部分に「海水活用重心安定水槽」と「負圧活用安定装置」内に負圧発生吸圧機を設置をする。三相交通の発電に必要な回転数を確保する為に三段階の回転ギアの設置をし、「ジェット噴出対圧流機」の噴射噴出流の調整を行なう事とする。「浮力活用回転発電扇」の浮力の働きを活用する為に想像を超えた高速回転となり、毎秒１０ｍ〜は充分に可能であり、化石燃料等に依る蒸気噴出稼動力よりも本海中発電の回転扇の回転力の威力の方が、格段に回転力の出現となる事が実証される事となる。
【発明を実施するための形態】
〔図１〕「浮力活用回転発電扇」の効率高速回転を実現さす為には、まず重心の安定と軽快な摩擦の少ない回転力を目指すものであり、図１の通り回転発電扇の中心部分迄船中内喫水線として自然の海水の流入が行なわれる為により強力な浮力の活躍となり軽快な高速回転が出現すると同時に重量感のある中心重心部分のどっしりとした安定感により、海中に浮かんだだけの軽い回転力とは全く違いより重量感のある強烈な高速回転力が段々と発現する事となる。
【図１】
2014129076.tif 000003